(57)【要約】【課題】分割されたＳＭＳを中継する際にスパムを適切に判定する。【解決手段】着信者側交換機５は、移動体通信網においてＳＭＳを中継する中継装置であって、発信者側交換機４から、送信元情報、制御ビット、及び本文データをそれぞれ含むＵＥ３宛の複数のＳＭＳを順次受信するＳＭＳ受信部５０２と、複数のＳＭＳのうち、同一の送信元を示す送信元情報を含み、かつ、連結が必要であることを示す制御ビットを含む複数のＳＭＳを特定し、当該複数のＳＭＳに含まれる本文データを連結して連結本文データを生成し、当該連結本文データを解析して当該複数のＳＭＳがスパムに該当するか否かを判定するＳＭＳ解析部５０３と、スパムに該当すると判定された複数のＳＭＳを加工してＵＥ３宛に送信するＳＭＳ送信部５０４とを備える。【選択図】  図２
2020181475.tif 000002
【特許請求の範囲】
【請求項１】
移動体通信網において移動通信端末宛のショートメッセージを中継する中継装置であって、
送信元側の通信網から、送信元を示す送信元情報、連結が必要であるか否かを示す連結制御情報、及び本文データをそれぞれ含む前記移動通信端末宛の複数のショートメッセージを順次受信する受信部と、
前記複数のショートメッセージのうち、同一の送信元を示す前記送信元情報を含み、かつ、連結が必要であることを示す前記連結制御情報を含む前記複数のショートメッセージを特定し、当該複数のショートメッセージに含まれる本文データを連結して連結本文データを生成し、当該連結本文データを解析して当該複数のショートメッセージがスパムに該当するか否かを判定する解析部と、
前記解析部によってスパムに該当すると判定された前記複数のショートメッセージを加工して前記移動通信端末宛に送信する送信部と、
を備える中継装置。
【請求項２】
前記受信部は、前記送信元情報の示す送信元からのショートメッセージの順番を示す識別番号を含んで前記複数のショートメッセージを受信し、
前記解析部は、前記複数のショートメッセージの中から、連続する識別番号を有する前記複数のショートメッセージを特定し、当該複数のショートメッセージに含まれる本文データを、対応する前記識別番号の順番で連結する、
請求項１記載の中継装置。
【請求項３】
前記受信部は、送信時刻を示す時刻情報を含んで前記複数のショートメッセージを受信し、
前記解析部は、前記複数のショートメッセージのうち、同一の送信時刻を示す時刻情報を含む前記複数のショートメッセージの本文データを連結する、
請求項１又は２記載の中継装置。
【請求項４】
前記送信部は、スパムに該当すると判定された前記複数のショートメッセージをデータ蓄積部に蓄積保存し、前記複数のショートメッセージを前記本文データを除いたショートメッセージに加工し、当該ショートメッセージを前記移動通信端末宛に送信する、
請求項１〜３のいずれか１項に記載の中継装置。
【請求項５】
前記送信部は、スパムに該当すると判定された前記複数のショートメッセージのそれぞれを前記送信元情報を書き換えた複数のショートメッセージに加工し、当該複数のショートメッセージを前記移動通信端末宛に送信する、
請求項１〜３のいずれか１項に記載の中継装置。
【請求項６】
移動体通信網において移動通信端末宛のショートメッセージを中継する中継装置であって、
送信元側の通信網から、送信元を示す送信元情報、連結が必要であるか否かを示す連結制御情報、及び本文データをそれぞれ含む前記移動通信端末宛の複数のショートメッセージを順次受信する受信部と、
前記複数のショートメッセージのうち、同一の送信元を示す前記送信元情報を含み、かつ、連結が必要であることを示す前記連結制御情報を含む前記複数のショートメッセージを特定し、当該複数のショートメッセージに含まれる本文データを連結して連結本文データを生成し、当該連結本文データを解析して当該複数のショートメッセージがスパムに該当するか否かを判定する解析部と、
前記解析部によってスパムに該当すると判定された前記複数のショートメッセージを加工して前記移動通信端末宛に送信する送信部と、
を有する前記中継装置と、
データ蓄積部を有する蓄積装置と、
を備え、
前記送信部は、スパムに該当すると判定された前記複数のショートメッセージを前記データ蓄積部に蓄積保存し、前記複数のショートメッセージを前記本文データを除いたショートメッセージに加工し、当該ショートメッセージを前記移動通信端末宛に送信する、
中継システム。
【請求項７】
前記蓄積装置は、前記移動通信端末から前記送信元情報を含むショートメッセージの送信要求を受信した際に、前記データ蓄積部に蓄積保存した前記送信元情報を含む前記複数のショートメッセージを、前記移動通信端末に向けて送信する、
請求項６記載の中継システム。
【発明の詳細な説明】
【技術分野】
【０００１】
本発明は、移動体通信網においてショートメッセージを中継する中継装置および中継システムに関する。
【背景技術】
【０００２】
従来から、移動体通信網において移動通信端末間でメッセージを送受信できるサービスとしてＳＭＳ（Short  Message  Service）が提供されている。ＳＭＳには、通常、送受信できるメッセージのデータ量に制限がある。下記非特許文献１には、制限を超えるデータ量（例えば、７０文字以上）のメッセージを送受信する方法として、連結ＳＭＳという手法が規定されている。この連結ＳＭＳでは、発信側の移動通信端末でメッセージを複数のショートメッセージに分割して送信し、受信側の移動通信端末で受信した複数のショートメッセージを連結して表示等の処理を行う。
【０００３】
また、従来から、ＳＭＳのメッセージを中継する通信システムにおいて、メッセージがスパムを構成するかを判定するアルゴリズムを利用して、当該メッセージを破棄したりリポジトリに転送したりすることが行われている（例えば、下記特許文献１参照）。
【先行技術文献】
【特許文献】
【０００４】
【特許文献１】特表２００８−５０１２６９号公報
【非特許文献】
【０００５】
【非特許文献１】3GPP  TS23.040
【発明の概要】
【発明が解決しようとする課題】
【０００６】
しかしながら、従来の通信システムにおいては、連結ＳＭＳの手法によって分割されたショートメッセージを中継する場合には、そのショートメッセージがスパムを構成するかを適切に判定することができない傾向があった。その結果、通信システムにおいてスパムを構成するショートメッセージに対して適切な処理を促すことができない場合があった。
【０００７】
そこで、本発明の一側面は、かかる課題に鑑みてなされたものであり、分割されたショートメッセージを中継する際にスパムを適切に判定することが可能な中継装置及び中継システムを提供することを目的とする。
【課題を解決するための手段】
【０００８】
上述の課題を解決するために、本発明の一側面にかかる中継装置は、移動体通信網において移動通信端末宛のショートメッセージを中継する中継装置であって、送信元側の通信網から、送信元を示す送信元情報、連結が必要であるか否かを示す連結制御情報、及び本文データをそれぞれ含む移動通信端末宛の複数のショートメッセージを順次受信する受信部と、複数のショートメッセージのうち、同一の送信元を示す送信元情報を含み、かつ、連結が必要であることを示す連結制御情報を含む複数のショートメッセージを特定し、当該複数のショートメッセージに含まれる本文データを連結して連結本文データを生成し、当該連結本文データを解析して当該複数のショートメッセージがスパムに該当するか否かを判定する解析部と、解析部によってスパムに該当すると判定された複数のショートメッセージを加工して移動通信端末宛に送信する送信部と、を備える。
【０００９】
あるいは、本発明の他の側面にかかる中継システムは、上述した中継装置と、スパムに該当すると判定された複数のショートメッセージを蓄積保存するデータ蓄積部を有する蓄積装置と、を備える。
【００１０】
上記の一側面あるいは他の側面によれば、送信元情報、連結制御情報、及び本文データをそれぞれ含む複数のショートメッセージを順次受信した中継装置が、それらの複数のショートメッセージの中から同一の送信元から送られた連結対象の複数のショートメッセージを特定することができる。そして、中継装置は、特定した複数のショートメッセージの本文データを連結して解析することにより、その送信元情報の示す送信元からのショートメッセージがスパムに該当するかを適切に判定することができ、スパムに該当する複数のショートメッセージを加工することにより、スパムに該当する複数のショートメッセージに対して適切な処理（破棄、保存等）を促すことができる。
【発明の効果】
【００１１】
本発明の側面によれば、分割されたショートメッセージを中継する際にスパムを適切に判定することができる。
【図面の簡単な説明】
【００１２】
【図１】本発明の好適な一実施形態にかかる移動体通信網を含む通信システム１の全体構成図である。
【図２】通信システム１の各装置およびＵＥ３の機能を示すブロック図である。
【図３】ＳＭＳ受信部５０２によって受信されてからＳＭＳ解析部５０３によって連結される複数のＳＭＳのデータ構成の一例を示す。
【図４】ＵＥ２ＢからＵＥ３宛に同時に送信された２つのＳＭＳを基に生成された連結ＳＭＳのデータ構成の一例を示す図である。
【図５】ＳＭＳ送信部５０４によって加工された加工ＳＭＳのデータ構成の一例を示す図である。
【図６】着信者側交換機５におけるＳＭＳ中継処理の動作手順を示すフローチャートである。
【図７】着信者側交換機５におけるスパム判定処理の動作手順を示すフローチャートである。
【図８】蓄積装置７におけるＳＭＳ蓄積処理の動作手順を示すフローチャートである。
【図９】着信者側交換機５におけるＳＭＳ問い合わせ処理の動作手順を示すフローチャートである。
【図１０】蓄積装置７におけるＳＭＳ配信処理の動作手順を示すフローチャートである。
【図１１】本開示の一実施の形態に係る着信者側交換機５のハードウェア構成の一例を示す図である。
【発明を実施するための形態】
【００１３】
添付図面を参照しながら本発明の実施形態を説明する。可能な場合には、同一の部分には同一の符号を付して、重複する説明を省略する。
【００１４】
図１は、本発明の好適な一実施形態にかかる移動体通信網を含む通信システム１の全体構成図である。この通信システム１は、サーバ装置２Ａ、ＵＥ（User  Equipment）２Ｂ等の発信者端末と、着信者端末であるＵＥ３との間でＳＭＳを中継する通信システムである。以下、本明細書中の「ＳＭＳ」は、ショートメッセージを配信するサービスのみならず、そのサービスを利用して送受信されるメッセージそのものをも指す。なお、ＵＥ２Ｂ及びＵＥ３は、スマートフォン、タブレット端末、フィーチャーフォン等に代表される移動通信端末である。
【００１５】
通信システム１は、発信者端末を収容する発信者側通信網（ＳＭＳの送信元側の通信網）に含まれる発信者側交換機４と、着信者端末を収容する着信者側移動体通信網（ＳＭＳの送信先側の通信網）に含まれる、着信者側交換機５、ＨＳＳ（Home  Subscriber  Server）６、及び蓄積装置７とを含んで構成される。発信者側交換機４及び着信者側交換機５は、ＳＭＳをルーティングする（中継する）機能を有する通信制御装置であり、蓄積装置７は、ＳＭＳを蓄積保存する機能を有するデータ記憶装置であり、着信者側交換機５及び蓄積装置７が本実施形態に係る中継システムを構成する。ＨＳＳ６は、着信者側移動体通信網上で提供される通信サービスに加入する加入者に関する電話番号、ＳＩＭ（Subscriber  Identity  Module）カードの識別番号等の加入者情報を管理および記憶するデータベースシステムである。
【００１６】
次に、通信システム１の各装置及びＵＥ３の機能について詳細に説明する。図２は、通信システム１の各装置およびＵＥ３の機能を示すブロック図である。
【００１７】
発信者側交換機４は、発信者端末から着信者端末であるＵＥ３を宛先としたＳＭＳを受信し、それを着信者側交換機５に中継する機能を有し、機能的構成要素として、問い合わせ部４０１及びＳＭＳ送信部４０２を有する。問い合わせ部４０１は、発信者端末からのＳＭＳの受信に応じて、ＨＳＳ６に対してＳＭＳの宛先の電話番号を含むルーティング要求を送信する。それに応じて、問い合わせ部４０１は、着信者側交換機５からＳＭＳの送信を要求するＳＭＳ通知要求を受信する。ＳＭＳ送信部４０２は、問い合わせ部４０１によるＳＭＳ通知要求の受信に応じて、着信者側交換機５に向けて、発信者端末からのＳＭＳをその都度送信する。
【００１８】
ＨＳＳ６は、機能的構成要素として加入者番号記憶部６０１を有する。加入者番号記憶部６０１は、発信者側交換機４からのルーティング要求に応じて、そのルーティング要求に含まれる電話番号を基に加入者情報を検索することにより、着信者端末が在圏しているエリアの着信者側交換機５を特定し、その着信者側交換機５にルーティング要求を転送する。
【００１９】
着信者側交換機５は、発信者端末から発信者側交換機４を経由してＵＥ３を宛先としたＳＭＳを受信し、それをＵＥ３に中継する機能を有し、機能的構成要素として、要求受信部５０１、ＳＭＳ受信部５０２、ＳＭＳ解析部５０３、ＳＭＳ送信部５０４、ＵＳＳＤ受信部５０５、及び問い合わせ部５０６を有する。
【００２０】
着信者側交換機５の要求受信部５０１は、ＨＳＳ６から受信したルーティング要求に応じて、発信者側交換機４に対して、ＳＭＳ通知要求を送信する。ＳＭＳ受信部５０２は、それに応じて、発信者端末から、発信者側交換機４を経由して、ＵＥ３を宛先とした複数のＳＭＳを順次受信する。このとき、ＳＭＳ受信部５０２は、連結ＳＭＳの手法を利用して送信されたＵＥ３宛の複数のＳＭＳを受信可能とされている。ＳＭＳ解析部５０３は、連結ＳＭＳの手法を利用して送信された連結が必要な複数のＳＭＳを特定し、それらの複数のＳＭＳに含まれる本文データを連結して連結本文データを生成する。そして、ＳＭＳ解析部５０３は、連結本文データを解析して連結された複数のＳＭＳがスパムに該当するかを判定する。ここでいう「スパム」とは、不特定の着信者端末に対して着信者端末のユーザにとって迷惑な内容あるいは害のある内容を送信する行為を示す。
【００２１】
図３には、ＳＭＳ受信部５０２によって受信されてからＳＭＳ解析部５０３によって連結される複数のＳＭＳのデータ構成の一例を示す。ここでは、ＵＥ３を宛先とする１つのメッセージが７つのＳＭＳに分割されて送信された例が示されている。分割された１番目〜７番目の７つのＳＭＳは、それぞれ、ヘッダ部とボディ部とによって構成される。それぞれのヘッダ部には、発信者端末（送信元）を識別する送信元情報“Ａ”と、メッセージの送信時刻を示す送信日時情報“Time1”と、そのヘッダ部が含まれる当該ＳＭＳの順番を識別する識別番号である連結識別子“１”〜“７”とが含まれている。この送信日時情報は、発信者端末において、１つのメッセージから分割された複数のＳＭＳ間で同一の送信時刻となるように設定される。また、それぞれのボディ部には、メッセージの分割数を示す最大ＳＭＳ番号“７”と、当該ＳＭＳが連結ＳＭＳを利用して分割して送信されたものであるかを示す制御ビット（連結制御情報）“０”が先頭に付加された本文データ“本文１”〜“本文７”とが含まれている。制御ビット“０”は、その制御ビットが付加された本文データが、連結ＳＭＳが利用されたものであって連結が必要なものであることを示している。
【００２２】
図３に示すような７つのＳＭＳを対象にして、ＳＭＳ解析部５０３は、本文データを連結して連結ＳＭＳを生成する。具体的には、同一の送信元情報“Ａ”を含み、かつ、制御ビット“０”を含み、かつ、同一の送信時刻を示す送信日時情報を含む７つのＳＭＳを特定し、それらの７つのＳＭＳに含まれる本文データ“本文１”、“本文２”、…“本文７”を、７つのＳＭＳに含まれる連結識別子の示す番号の順番で連結して連結ＳＭＳを生成する。このとき、ＳＭＳ解析部５０３は、１つのメッセージを構成する連結対象の最後のＳＭＳを、そのＳＭＳに含まれる連結識別子が、同じＳＭＳに含まれる最大ＳＭＳ番号に一致したか否かで判別することができる。この連結ＳＭＳも、ヘッダ部とボディ部とによって構成され、ヘッダ部は、送信元情報“Ａ”、送信日時情報“Time1”、及び、連結対象のＳＭＳの連結識別子を番号順に含む連結識別子“１，２，…，７”とを含み、ボディ部は、最大ＳＭＳ番号“７”と、連結本文データ“本文１”＋“本文２”＋…“本文７”とを含む。
【００２３】
図４には、サーバ装置２ＡからＵＥ３宛に同時に送信された２つのＳＭＳを基に生成された連結ＳＭＳのデータ構成の例を示している。このように、発信者端末において分割された２つのＳＭＳの本文データにおいては電話番号“090-xxxx-yyyy”等のメッセージ内容が途中で途切れる場合があるが、連結ＳＭＳの連結本文データには電話番号“090-xxxx-yyyy”等のメッセージ内容が途切れることなく含まれている。
【００２４】
上記のようにして生成された連結ＳＭＳを対象としたスパム判定の手法としては、次のような手法が挙げられる。例えば、ＳＭＳ解析部５０３は、連結本文データに特定のＵＲＬ（Uniform  Resource  Locator）あるいは特定の電話番号等のキーワードが含まれる場合は、連結ＳＭＳの基となった複数のＳＭＳをスパムと判定する。また、ＳＭＳ解析部５０３は、連結ＳＭＳに含まれる送信元情報及び／又は連結本文データを基に検索クエリを設定し、その検索クエリを用いてＷｅｂ検索を実行し、その検索結果が一定割合以上で不正な情報源あるいは不正な情報を示す内容とマッチした場合、連結ＳＭＳの基となった複数のＳＭＳをスパムと判定する。また、ＳＭＳ解析部５０３は、連結本文データのパターンが予め設定されているパターン（例えば、正規の機関が送信してくるＳＭＳの本文のパターン）と一致していない場合、連結ＳＭＳの基となった複数のＳＭＳをスパムと判定する。さらに、ＳＭＳ解析部５０３は、予め設定された送信元（例えば、ＳＭＳを送ることが想到し得ない機関に対応する送信元）から送信された複数のＳＭＳをスパムと判定することもできる。
【００２５】
なお、ＳＭＳ解析部５０３は、連結対象の複数のＳＭＳを、連結識別子の示す順番で１つずつ連結する度に、連結ＳＭＳを対象としたスパムの判定を行い、スパムであると判定した時点で連結処理を中断してもよい。
【００２６】
着信者側交換機５のＳＭＳ送信部５０４は、ＳＭＳ解析部５０３によってスパムと判定されなかった連結ＳＭＳを、元の複数のＳＭＳに再分割してからそれらの複数のＳＭＳをＵＥ３に送信する。一方で、ＳＭＳ送信部５０４は、ＳＭＳ解析部５０３によってスパムと判定された連結ＳＭＳを、元の複数のＳＭＳに再分割してからそれらの複数のＳＭＳを蓄積装置７に送信することにより蓄積装置７に蓄積保存する。連結ＳＭＳの再分割は、上述したＳＭＳ解析部５０３による連結ＳＭＳの生成と逆の手順により実行される。なお、ＳＭＳ解析部５０３による複数のＳＭＳの連結が途中で中断された場合には、ＳＭＳ送信部５０４は、その時点で生成された連結ＳＭＳを再分割し、再分割したＳＭＳを、１つのメッセージを構成する残りのＳＭＳと併せて蓄積装置７に蓄積保存する。また、ＳＭＳ受信部５０２が、発信者側交換機４から受信した複数のＳＭＳを、ＵＥ３あるいは蓄積装置７に送信されるまでの間記憶しておいて、ＳＭＳ送信部５０４は、記憶されていた複数のＳＭＳを、スパムの判定結果に応じてＵＥ３或いは蓄積装置７のいずれかに送信するようにしてもよい。
【００２７】
加えて、ＳＭＳ送信部５０４は、スパムと判定された連結ＳＭＳの基となった複数のＳＭＳを加工して送信元情報を含む加工ＳＭＳを生成し、その加工ＳＭＳをＵＥ３に送信する。具体的には、複数のＳＭＳから本文データを除いた加工ＳＭＳを生成し送信する。図５には、ＳＭＳ送信部５０４によって加工された加工ＳＭＳのデータ構成の例を示す。このように、加工ＳＭＳはヘッダ部とボディ部とによって構成され、ヘッダ部はスパムと判定された連結ＳＭＳと同じ情報を含み、ボディ部は予め設定された定型文の本文データを含む。この定型文の一部（図５の「はい」の部分）には、後述するＳＭＳ配信要求をＵＥ３から着信者側交換機５に送信するためのメニュー操作用ＵＩ（User  Interface）が埋め込められている。
【００２８】
着信者側交換機５のＵＳＳＤ受信部５０５は、ＵＥ３から送信されたＳＭＳ配信要求を、ＵＳＳＤ（Unstructured  Supplementary  Service  Data）コードとして受信する。このＳＭＳ配信要求には、送信元情報がマッピングされている。問い合わせ部５０６は、ＵＳＳＤ受信部５０５によって受信された送信元情報を含むＳＭＳ配信要求を蓄積装置７に送信する。
【００２９】
ＵＥ３は、機能的構成要素として、ＳＭＳ受信部３０１及びＵＳＳＤ送信部３０２を有する。ＳＭＳ受信部３０１は、着信者側交換機５又は蓄積装置７から各種のＳＭＳを受信し、受信したＳＭＳに含まれる本文データを内蔵されたディスプレイ装置等の出力装置に出力する。すなわち、ＳＭＳ受信部３０１は、着信者側交換機５又は蓄積装置７から、連結ＳＭＳの手法によって分割された複数のＳＭＳを受信した場合には、それらの複数のＳＭＳに含まれる本文データを連結して出力する。また、ＳＭＳ受信部３０１は、着信者側交換機５によって加工された加工ＳＭＳを受信した場合は、加工ＳＭＳに含まれる定型文の本文データを出力する。ＵＳＳＤ送信部３０２は、ＳＭＳ受信部３０１によって出力された加工ＳＭＳの本文データに含まれるメニュー操作用ＵＩがＵＥ３のユーザによって操作されたことを契機に、加工ＳＭＳの基となった複数のＳＭＳの配信を要求するＳＭＳ配信要求を、当該加工ＳＭＳに含まれる送信元情報を末尾にマッピングしたＵＳＳＤコードとして、着信者側交換機５に送信する。
【００３０】
蓄積装置７は、着信者側交換機５によって送信が保留された複数のＳＭＳを蓄積保存するデータ記憶装置であり、機能的構成要素として、ＳＭＳ蓄積部（データ蓄積部）７０１、受信部７０２、及びＳＭＳ送信部７０３を有する。ＳＭＳ蓄積部７０１は、着信者側交換機５から送信された送信保留中の複数のＳＭＳを蓄積保存する。受信部７０２は、着信者側交換機５から送信されたＵＥ３からのＳＭＳ配信要求を受信する。ＳＭＳ送信部７０３は、ＳＭＳ蓄積部７０１によって蓄積保存された複数のＳＭＳの中から、そのＳＭＳ配信要求に含まれる送信元情報を含むＵＥ３宛の複数のＳＭＳを抽出し、抽出した複数のＳＭＳをＵＥ３に送信する。
【００３１】
次に、上述した構成の通信システム１の動作について説明する。図６は、着信者側交換機５におけるＳＭＳ中継処理の動作手順を示すフローチャート、図７は、着信者側交換機５におけるスパム判定処理の動作手順を示すフローチャート、図８は、蓄積装置７におけるＳＭＳ蓄積処理の動作手順を示すフローチャート、図９は、着信者側交換機５におけるＳＭＳ問い合わせ処理の動作手順を示すフローチャート、図１０は、蓄積装置７におけるＳＭＳ配信処理の動作手順を示すフローチャートである。
【００３２】
まず、図６を参照して、発信者端末から発信者側交換機４を経由して連結ＳＭＳの手法を利用した複数のＳＭＳが送信されてきたことを契機に、着信者側交換機５におけるＳＭＳ中継処理が開始される。最初に、ＳＭＳ受信部５０２によって１つのメッセージを構成するＵＥ３宛の複数のＳＭＳが順次受信され、ＳＭＳ解析部５０３によって同一の送信元から同一の送信時刻に送信されてきたＳＭＳ中の制御ビットが“０”に設定されているか否かが判断される（ステップＳ１０１）。判定の結果、制御ビットが“０”に設定されていない場合（ステップＳ１０１；Ｎｏ）には、当該複数のＳＭＳがＳＭＳ送信部５０４によりＵＥ３に送信される（ステップＳ１０２）。
【００３３】
一方、制御ビットが“０”に設定されていると判定された場合（ステップＳ１０１；Ｙｅｓ）には、同一の送信元から同一の送信時刻に送信された複数のＳＭＳのうちの連結識別子“１”のものが処理対象とされ、連結識別子に関するパラメータｉに“１”が設定される（ステップＳ１０３）。そして、ＳＭＳ解析部５０３によって、処理対象のＳＭＳの本文データに連結識別子＝ｉ＋１を含む次のＳＭＳの本文データが連結されて連結ＳＭＳが生成される（ステップＳ１０４）。その後、パラメータｉに“１”がインクリメントされる（ステップＳ１０５）。
【００３４】
次に、ＳＭＳ解析部５０３によって連結ＳＭＳを対象にスパム判定処理が実行される（ステップＳ１０６）。さらに、ＳＭＳ解析部５０３によって、パラメータｉがＳＭＳに含まれる最大ＳＭＳ番号Ｎに一致しているか否かが判定される（ステップＳ１０７）。パラメータｉが最大ＳＭＳ番号に一致していない場合には（ステップＳ１０７；Ｎｏ）、処理がステップＳ１０４に戻されて、さらに次の連結識別子のＳＭＳの本文データの連結処理及びスパム判定処理が繰り返される。
【００３５】
その一方で、パラメータｉが最大ＳＭＳ番号Ｎに一致している場合には（ステップＳ１０７；Ｙｅｓ）、ＳＭＳ送信部５０４により、連結ＳＭＳが元の複数のＳＭＳに再分割される（ステップＳ１０８）。そして、ＳＭＳ送信部５０４により、再分割された連結識別子が“１”から“Ｎ”までの複数のＳＭＳがＵＥ３に向けて送信されて（ステップＳ１０２）、ＳＭＳ中継処理が終了される。
【００３６】
図７を参照して、スパム判定処理（図６のステップＳ１０６）においては、ＳＭＳ解析部５０３により、連結ＳＭＳに含まれる連結本文データにスパムに該当する内容が含まれるか否かが判定される（ステップＳ２０１）。判定の結果、スパムに該当する内容が含まれない場合には（ステップＳ２０１；Ｎｏ）、そのまま当該連結ＳＭＳを対象としたスパム判定処理が終了される。
【００３７】
一方で、スパムに該当する内容が含まれていると判定された場合には（ステップＳ２０１；Ｙｅｓ）、ＳＭＳ送信部５０４により、連結ＳＭＳが元の複数のＳＭＳに再分割される（ステップＳ２０２）。さらに、ＳＭＳ送信部５０４により、再分割された連結識別子が“１”から“ｉ”までの複数のＳＭＳが、同じメッセージを構成する連結識別子が“ｉ＋１”から“Ｎ”までの複数のＳＭＳと併せて蓄積装置７に送信される（ステップＳ２０３）。それとともに、ＳＭＳ送信部５０４により、当該複数のＳＭＳに含まれる送信元情報“ＸＸＸ”に関して不正ＳＭＳ“有”を示す情報が保持される（ステップＳ２０４）。その後、ＳＭＳ送信部５０４により、送信元情報“ＸＸＸ”がトレースされた加工ＳＭＳが生成されて、その加工ＳＭＳがＵＥ３に送信された後（ステップＳ２０５）、ＳＭＳ中継処理が終了される。
【００３８】
図８に移って、蓄積装置７におけるＳＭＳ蓄積処理の手順について説明する。蓄積装置７において着信者側交換機５から蓄積対象の複数のＳＭＳが受信されると、ＳＭＳ蓄積部７０１においてそれらの複数のＳＭＳが蓄積保存される（ステップＳ３０１）。その後、一定時間以上経過したかが繰り返し判定され（ステップＳ３０２）、一定期間以上経過したタイミングで当該複数のＳＭＳが消去される（ステップＳ３０３）。
【００３９】
図９を参照して、着信者側交換機５におけるＳＭＳ問い合わせ処理の手順を説明する。まず、ＵＳＳＤ受信部５０５により送信元情報がマッピングされたＵＳＳＤコードがＵＥ３から受信されると（ステップＳ４０１）、ＳＭＳ送信部５０４において当該送信元情報に関して不正ＳＭＳ“有”を示す情報が保持されているか否かが判定される（ステップＳ４０２）。判定の結果、不正ＳＭＳ“有”を示す情報が保持されていない場合には（ステップＳ４０２；Ｎｏ）、ＳＭＳ問い合わせ処理が終了される。
【００４０】
一方で、不正ＳＭＳ“有”を示す情報が保持されていると判定された場合には（ステップＳ４０２；Ｙｅｓ）、送信元情報を含むＵＥ３からのＳＭＳ配信要求が蓄積装置７に送信される（ステップＳ４０３）。その後、蓄積装置７によるＵＥ３宛のＳＭＳ配信処理の完了を検出したタイミングで、ＳＭＳ送信部５０４における当該送信元情報に関する不正ＳＭＳ“有”を示す情報がクリアされ（ステップＳ４０４）、ＳＭＳ問い合わせ処理が終了される。
【００４１】
図１０には、蓄積装置７によるＳＭＳ配信処理の手順を示す。蓄積装置７の受信部７０２により、着信者側交換機５から送信元情報を含むＵＥ３からのＳＭＳ配信要求が受信されると（ステップＳ５０１）、ＳＭＳ蓄積部７０１において当該送信元情報を含むＵＥ３宛の複数のＳＭＳが保持されているか否かが判定される（ステップＳ５０２）。判定の結果、ＳＭＳが保持されていない場合には（ステップＳ５０２；Ｎｏ）、そのままＳＭＳ配信処理が終了される。その一方で、ＳＭＳが保持されていると判定された場合には（ステップＳ５０２；Ｙｅｓ）、ＳＭＳ送信部７０３により、該当送信元情報を含む連結識別子が“１”から“Ｎ”までのＵＥ３宛の複数のＳＭＳがＵＥ３に向けて送信され、送信完了後に着信者側交換機５にその旨が通知され（ステップＳ５０３）、ＳＭＳ配信処理が終了される。
【００４２】
次に、本実施形態の中継装置及び中継システムの作用効果について説明する。本実施形態においては、送信元情報、制御ビット、及び本文データをそれぞれ含む複数のＳＭＳを順次受信した着信者側交換機５が、それらの複数のＳＭＳの中から同一の送信元から送られた連結対象の複数のＳＭＳを特定することができる。そして、着信者側交換機５は、特定した複数のＳＭＳの本文データを連結して解析することにより、その送信元情報の示す送信元からのＳＭＳがスパムに該当するかを適切に判定することができ、スパムに該当する複数のＳＭＳを加工することにより、スパムに該当する複数のＳＭＳに対して適切な処理（破棄、保存等）を促すことができる。具体的には、本文データが削除された加工ＳＭＳを送信することにより着信者端末における不正なＳＭＳの取得が防止できる。
【００４３】
特に、本実施形態では、発信者端末から同時に送信された１つのメッセージを構成する複数のＳＭＳに含まれる本文データを１つずつ連結しながらスパム判定処理が実行されている。これにより、ＳＭＳを対象としたスパムの判定を確実に実行しつつ、着信者側交換機５における処理負荷が軽減される。
【００４４】
また、本実施形態の着信者側交換機５では、ＳＭＳ受信部５０２が送信元情報の示す送信元からのＳＭＳの順番を示す連結識別子を含んで複数のＳＭＳを受信し、ＳＭＳ解析部５０３は複数のＳＭＳの中から連続する番号の連結識別子を有する複数のＳＭＳを特定し、当該複数のＳＭＳに含まれる本文データを、対応する連結識別子の順番で連結している。このように動作することで、同一の送信元からの複数のＳＭＳの本文データを適切な順番で連結することができる。その結果、連結対象のＳＭＳを対象にスパムの判定をより適切に行うことが可能となる。
【００４５】
さらに、本実施形態の着信者側交換機５では、ＳＭＳ受信部５０２が送信時刻を示す送信日時情報を含んで複数のＳＭＳを受信し、ＳＭＳ解析部５０３は複数のＳＭＳのうち同一の送信時刻を示す送信日時情報を含む複数のＳＭＳの本文データを連結している。このような構成により、同一の送信元から同時に送信された複数のＳＭＳを、連結対象のＳＭＳとして確実に特定することができる。その結果、連結対象のＳＭＳを対象にスパムの判定をより適切に行うことが可能となる。
【００４６】
また、本実施形態の着信者側交換機５では、ＳＭＳ送信部５０４がスパムに該当すると判定された複数のＳＭＳを蓄積装置７に蓄積保存し、複数のＳＭＳを本文データを除いた加工ＳＭＳに加工し、当該加工ＳＭＳをＵＥ３宛に送信している。かかる構成により、スパムを構成すると予想されるＳＭＳを蓄積保存しつつ、そのＳＭＳが着信者端末に送信されることを防止できる一方で、スパムと判定されたＳＭＳの受信を着信者端末に通知できる。
【００４７】
また、本実施形態の蓄積装置７では、ＵＥ３から送信元情報を含むＳＭＳ配信要求を受信した際に、ＳＭＳ蓄積部７０１に蓄積保存した送信元情報を含む複数のＳＭＳを、ＵＥ３に向けて送信している。このようにすることで、スパムと判定されて蓄積保存されたＳＭＳを着信者端末のユーザの要求に応じて着信者端末に提供できる。その結果、着信者端末のユーザの利便性を向上できる。
【００４８】
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００４９】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００５０】
例えば、本開示の一実施の形態における着信者側交換機５は、本開示に示す処理を行うコンピュータとして機能してもよい。図１１は、本開示の一実施の形態に係る着信者側交換機５のハードウェア構成の一例を示す図である。上述の着信者側交換機５は、物理的には、プロセッサ１００１、メモリ１００２、ストレージ１００３、通信装置１００４、入力装置１００５、出力装置１００６、バス１００７などを含むコンピュータ装置として構成されてもよい。発信者側交換機４、ＨＳＳ６、及び蓄積装置７も同様にコンピュータとして機能してもよい。
【００５１】
なお、以下の説明では、「装置」という文言は、回路、デバイス、ユニットなどに読み替えることができる。着信者側交換機５のハードウェア構成は、図に示した各装置を１つ又は複数含むように構成されてもよいし、一部の装置を含まずに構成されてもよい。
【００５２】
着信者側交換機５における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００５３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、ＳＭＳ解析部５０３、ＳＭＳ送信部５０４などは、プロセッサ１００１によって実現されてもよい。着信者側交換機５のその他の機能部もプロセッサ１００１によって実現されてもよい。
【００５４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ＳＭＳ解析部５０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００５５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る処理を実施するために実行可能なプログラム（プログラムコード）、ソフトウェアモジュールなどを保存することができる。
【００５６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。例えば、ＳＭＳを記憶するＳＭＳ受信部５０２、不正ＳＭＳの情報を格納するＳＭＳ送信部５０４などは、ストレージ１００３で実現されてもよい。
【００５７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、要求受信部５０１、ＳＭＳ受信部５０２、ＳＭＳ送信部５０４、ＵＳＳＤ受信部５０５、及び問い合わせ部５０６などは、通信装置１００４によって実現されてもよい。
【００５８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００６０】
また、着信者側交換機５は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００６１】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【００６２】
例えば、上記実施形態のＳＭＳ送信部５０４は、スパムに該当すると判定された複数のＳＭＳから本文データを除いた加工ＳＭＳをＵＥ３に送信しているが、その代わりに、連結ＳＭＳの基となった複数のＳＭＳを、送信元情報を書き換えた複数のＳＭＳに加工し、加工後の複数のＳＭＳをＵＥ３宛に送信してもよい。例えば、送信元情報を予め設定された固定の情報に書き換えることが考えられる。このように動作することで、着信者端末においてスパムと判定されたＳＭＳの識別を容易にすることができ、スパムと判定されたＳＭＳに対して適切な処理（フォルダへの退避、削除等）を促すことができる。
【００６３】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００６４】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００６５】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００６６】
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００６７】
情報等（※「情報、信号」の項目参照）は、上位レイヤ（又は下位レイヤ）から下位レイヤ（又は上位レイヤ）へ出力され得る。複数のネットワークノードを介して入出力されてもよい。
【００６８】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００６９】
判定は、１ビットで表される値（０か１か）によって行われてもよいし、真偽値（Boolean：true又はfalse）によって行われてもよいし、数値の比較（例えば、所定の値との比較）によって行われてもよい。
【００７０】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００７３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００７５】
本開示において使用する「システム」及び「ネットワーク」という用語は、互換的に使用される。
【００７６】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００７７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００７８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００７９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００８０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００８１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００８２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【００８３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局が有する機能をユーザ端末が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【００８４】
同様に、本開示における端末装置は、基地局で読み替えてもよい。この場合、上述の端末装置が有する機能を基地局が有する構成としてもよい。
【００８５】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００８６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００８７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８８】
「本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【００８９】
本開示において、例えば、英語でのa,  an及びtheのように、翻訳により冠詞が追加された場合、本開示は、これらの冠詞の後に続く名詞が複数形であることを含んでもよい。
【符号の説明】
【００９０】
１…通信システム、５…着信者側交換機（中継装置）、７…蓄積装置、５０２…ＳＭＳ受信部、５０４…ＳＭＳ送信部、５０３…ＳＭＳ解析部、７０１…ＳＭＳ蓄積部（データ蓄積部）。
【図１】
2020181475.tif 000003
【図２】
2020181475.tif 000004
【図３】
2020181475.tif 000005
【図４】
2020181475.tif 000006
【図５】
2020181475.tif 000007
【図６】
2020181475.tif 000008
【図７】
2020181475.tif 000009
【図８】
2020181475.tif 000010
【図９】
2020181475.tif 000011
【図１０】
2020181475.tif 000012
【図１１】
2020181475.tif 000013